(57)【要約】【課題】  本発明は、壁に設置されたスイッチにより色温度を調整することができる発光ダイオード照明装置を提供することを課題とする。【解決手段】  本発明に係る発光ダイオード照明装置の調光方法は、電源スイッチを介して電源に電気的に接続される発光ダイオード照明装置の調光方法である。発光ダイオード照明装置の調光方法は、第１の発光ユニットと第２の発光ユニットを用意する工程と、電源スイッチがオンされたか否かを検知する工程と、電源スイッチがオンされた場合、電源スイッチがオンされた時間に基づいて第１の発光ユニットと第２の発光ダイオードの光混合比率を逐次に調整すると共に対応する色温度値を記憶する工程と、を含む。【選択図】図２
2013161782.tif 000002
【特許請求の範囲】
【請求項１】
電源スイッチを介して電源に電気的に接続される発光ダイオード照明装置であって、
少なくとも一つの第１の発光ダイオードを備える第１の発光ユニットと、
少なくとも一つの第２の発光ダイオードを備える第２の発光ユニットと、
前記第１の発光ユニットと前記第２の発光ユニットに電気的に接続されており、前記第１の発光ユニットと前記第２の発光ユニットを駆動するための駆動ユニットと、
前記駆動ユニットと前記電源スイッチに電気的に接続されており、前記電源スイッチの状態を検知するための検知ユニットと、
を含み、
前記電源スイッチがオンされた場合、前記検知ユニットは、前記電源スイッチがオンされた時間に基づいて前、記第１の発光ユニットと前記第２の発光ユニットの光混合比率を逐次に調整すると共に、対応する色温度値を記憶することを特徴とする発光ダイオード照明装置。
【請求項２】
前記電源スイッチがオンされた後、所定時間内でオフされた場合、前記検知ユニットは前記色温度値を記憶し、前記電源スイッチが次回にオンされた時、前記色温度値に基づいて前記第１の発光ユニットと前記第２の発光ユニットの光混合比率を調整することによって前記発光ダイオード照明装置に対応する色温度を生成させることを特徴とする請求項１に記載の発光ダイオード照明装置。
【請求項３】
前記検知ユニットは、前記第１の発光ユニットの第１のパルス幅変調信号に対応するデューティサイクル及び前記第２の発光ユニットの第２のパルス幅変調信号に対応するデュ―ティサイクルを調整することによって、前記第１の発光ユニットと前記第２の発光ユニットの光混合比率を調整することを特徴とする請求項１に記載の発光ダイオード照明装置。
【請求項４】
前記検知ユニットは前記色温度値を記憶した後、前記電源スイッチがオンされた否かを再び検知し、前記電源スイッチがオンされた時、前記電源スイッチがオンされた時間に基づいて、前記第１の発光ユニットと前記第２の発光ユニットを流れる電流を逐次に調整すると共に、対応する輝度値を記憶することを特徴とする請求項１に記載の発光ダイオード照明装置。
【請求項５】
前記検知ユニットは、リセット時間内に前記電源スイッチが四回に切り換えられたことを検知した時、記憶されている前記色温度値と前記輝度値をイレースすることを特徴とする請求項４に記載の発光ダイオード照明装置。
【請求項６】
前記検知ユニットは、
前記電源スイッチを介して前記電源に電気的に接続される降圧回路と、
前記降圧回路と前記駆動ユニットに電気的に接続されており、前記降圧回路の出力電圧に基づいて、前記電源スイッチがオンされた時間をカウントすると共に、前記色温度値に基づいて色温度制御信号を前記駆動ユニットに出力する制御ユニットと、
を含むことを特徴とする請求項１に記載の発光ダイオード照明装置。
【請求項７】
前記制御ユニットは、
前記降圧回路に電気的に接続されており、前記降圧回路の出力電圧の変化に応じて対応するパルス信号を生成するパルス回路と、
前記パルス回路に電気的に接続されており、前記パルス回路が出力したパルス信号に基づいて前記電源スイッチがオンされた時間をカウントするクロックカウントユニットと、
前記クロックカウントユニットに電気的に接続されており、前記電源スイッチがオンされた時間に基づいて前記色温度制御信号を前記駆動ユニットに出力するパルス幅制御ユニットと、
を含むことを特徴とする請求項６に記載の発光ダイオード照明装置。
【請求項８】
前記検知ユニットは、前記色温度値を記憶するための記憶ユニットを更に含むことを特徴とする請求項１に記載の発光ダイオード照明装置。
【請求項９】
前記第１の発光ダイオードは寒色系の色温度値を有する光を発するための発光ダイオードであり、
前記第２の発光ダイオードは暖色系の色温度値を有する光を発するための発光ダイオードであることを特徴とする請求項１に記載の発光ダイオード照明装置。
【請求項１０】
前記第２のパルス幅変調信号は直流オフセット電圧を有することを特徴とする請求項３に記載の発光ダイオード照明装置。
【請求項１１】
電源スイッチを介して電源に電気的に接続される発光ダイオード照明装置であって、
少なくとも一つの発光ダイオードを備える発光ユニットと、
前記発光ユニットに電気的に接続されており、前記発光ユニットを駆動するための駆動ユニットと、
前記駆動ユニットと前記電源スイッチに電気的に接続されており、前記電源スイッチの状態を検知するための検知ユニットと、
を含み、
前記電源スイッチがオンされた場合、前記検知ユニットは、前記電源スイッチがオンされた時間に基づいて前記発光ユニットを流れる電流を逐次に調整すると共に対応する輝度値を記憶する。
【請求項１２】
前記電源スイッチがオンされた後、所定時間内にオフされた時、前記検知ユニットは前記輝度値を記憶し、前記電源スイッチが再びオンされた時、前記輝度値に基づいて前記発光ユニットを流れる電流を調整することによって、前記発光ダイオード照明装置に対応する輝度を生成させることを特徴とする請求項１１に記載の発光ダイオード照明装置。
【請求項１３】
前記検知ユニットは、リセット時間内に前記電源スイッチが四回に切り換えられたことを検知した時、記憶されている前記輝度値をイレースすることを特徴とする請求項１１に記載の発光ダイオード照明装置。
【請求項１４】
電源スイッチを介して電源に電気的に接続される発光ダイオード照明装置の調光方法であって、
第１の発光ユニットと第２の発光ユニットを用意する工程と、
前記電源スイッチがオンされたか否かを検知する工程と、
前記電源スイッチがオンされた場合、前記電源スイッチがオンされた時間に基づいて前記第１の発光ユニットと前記第２の発光ダイオードの光混合比率を逐次に調整すると共に対応する色温度値を記憶する工程と、
を含むことを特徴とする請求項に記載の発光ダイオード照明装置の調光方法。
【請求項１５】
前記電源スイッチがオフされてから再びオンされた時、前記色温度値に基づいて前記第１の発光ユニットと前記第２の発光ユニットの光混合比率を調整することによって、前記発光ダイオード照明装置に対応する色温度を生成させる工程を更に含むことを特徴とする請求項１４に記載の発光ダイオード照明装置の調光方法。
【請求項１６】
前記色温度値を記憶した後、電源スイッチが再びオンされたか否かを検知し、電源スイッチが再びオンされた場合、電源スイッチがオンされた時間に基づいて前記第１の発光ユニットと前記第２の発光ユニットを流れる電流を調整すると共に対応する輝度値を記憶する工程を更に含むことを特徴とする請求項１４に記載の発光ダイオード照明装置の調光方法。
【請求項１７】
記憶されている前記色温度値と前記輝度値に基づいて前記第１の発光ユニットと前記第２の発光ユニットを駆動することによって、前記発光ダイオード照明装置に対応する色温度と輝度を生成させる工程を更に含むことを特徴とする請求項１６に記載の発光ダイオード照明装置の調光方法。
【請求項１８】
前記電源スイッチがリセット時間内に四回に切り換えられた時、記録されている前記色温度値と前記輝度値をイレースする工程を更に含むことを特徴とする請求項１７に記載の発光ダイオード照明装置の調光方法。
【請求項１９】
前記第１の発光ダイオードは寒色系の色温度値を有する光を発するための発光ダイオードであり、
前記第２の発光ダイオードは暖色系の色温度値を有する光を発するための発光ダイオードであることを特徴とする請求項１４に記載の発光ダイオード照明装置の調光方法。
【発明の詳細な説明】
【技術分野】
【０００１】
本発明は照明装置に関するものであり、特に調光可能な照明回路及びその照明回路を有する照明装置に関するものである。
【背景技術】
【０００２】
生活文明の進歩に伴い、照明装置は日常生活に不可欠なものとなっている。従来の照明装置は一般的に白熱電球（タングステン電球）であるため、照明装置に対して調光を行う場合、電源プラグとランプの間に可変抵抗器ような回転つまみが設けられ、可変抵抗器を調整することによって調光を行うようにすればよい。しかしながら、白熱電球は、高発熱、短寿命、低発光効率、高消費電力などの欠点がある。
【０００３】
一方、発光ダイオード（ＬＥＤ）は、発光効率が高く、使用寿命が長く、消費電力が低く、環境に優しく、体積が小さいなどの長点があるため、ここ数年、環境にやさしく、省エネ、二酸化炭素排出量の削減の呼び声がますます高まる中で、発光ダイオードが幅広く使用されている。例えば、交通信号・標識、街灯、懐中電灯、液晶ディスプレーのバックライトモジュール若しくは発光ダイオード電球などの様々な照明装置にも使用されている。発光ダイオードは、固体発光素子（ｓｏｌｉｄ−ｓｔａｔｅ ｌｉｇｈｔ ｅｍｉｔｔｉｎｇ ｅｌｅｍｅｎｔ）であり、Ｐ型半導体材料とＮ型半導体材料からなるものである。発光ダイオードは、紫外線、可視光及び赤外線エリア内にある自己照射（ｓｅｌｆ−ｉｒｒａｄｉａｔｉｏｎ）効果を生ずることができる。
【０００４】
一般的に、発光ダイオードランプは、発光ダイオード電球及び長尺型の発光ダイオードチューブを備える。長尺型の発光ダイオードチューブは、従来の蛍光灯管に取って代わることができ、更に従来のランプベースに設置されることができる。発光ダイオードチューブは、回路基板及び複数の発光ダイオード素子を備える。発光ダイオード素子は、直流電源で駆動されており、その輝度が発光ダイオードを流れる電流量に関連する。通常、電流が多ければ多いほど、発光ダイオード素子の輝度が高くなる。
【０００５】
しかしながら、従来の照明装置の最も大きな欠点は、調光を行うことができないことである。図１Ａと図１Ｂに示すように、従来、光源を制御する方法は、壁に設置されてあるスイッチにより、光源をオン・オフするための制御を行う。図１Ａは従来技術のランプのスイッチの模式図を示すものである。図１Ｂは従来技術のランプの回路図を模式的に示すものである。従来の照明装置は、出荷の時、その色温度及び輝度が既に定められたため、ランプのスイッチは、ランプの光源をオンオフするように制御しかできない。
【発明の概要】
【発明が解決しようとする課題】
【０００６】
本発明の目的は、壁に設置されたスイッチにより色温度を調整することができる発光ダイオード照明装置を提供することにある。
【０００７】
本発明の目的は、壁に設置されたスイッチにより輝度を調整することができる発光ダイオード照明装置を提供することにある。
【課題を解決するための手段】
【０００８】
本発明に係る発光ダイオード照明装置は、電源スイッチを介して電源に電気的に接続される。発光ダイオード照明装置は、第１の発光ユニット、第２の発光ユニット、駆動ユニット及び検知ユニットを含む。第１の発光ユニットは、少なくとも一つの第１の発光ダイオードを備える。第２の発光ユニットは、少なくとも一つの第２の発光ダイオードを備える。駆動ユニットは、第１の発光ユニットと第２の発光ユニットに電気的に接続されており、第１の発光ユニットと第２の発光ユニットを駆動するためのものである。検知ユニットは、駆動ユニットと電源スイッチに電気的に接続されており、電源スイッチの状態を検知するためのものである。電源スイッチがオンされた場合、検知ユニットは、電源スイッチがオンされた時間に基づいて第１の発光ユニットと第２の発光ユニットの光混合比率を逐次に調整すると共に対応する色温度値を記憶する。
【０００９】
また、他の態様において、本発明に係る発光ダイオード照明装置は、電源スイッチを介して電源に電気的に接続される。発光ダイオード照明装置は、発光ユニット、駆動ユニット及び検知ユニットを含む。発光ユニットは、少なくとも一つの発光ダイオードを備える。駆動ユニットは、発光ユニットに電気的に接続されており、発光ユニットを駆動するためのものである。検知ユニットは、駆動ユニットと電源スイッチに電気的に接続されており、電源スイッチの状態を検知するためのものである。電源スイッチがオンされた場合、検知ユニットは、電源スイッチがオンされた時間に基づいて発光ユニットを流れる電流を逐次に調整すると共に対応する輝度値を記憶する。
【００１０】
また、他の態様において、本発明に係る発光ダイオード照明装置の調光方法は、電源スイッチを介して電源に電気的に接続される発光ダイオード照明装置の調光方法である。発光ダイオード照明装置の調光方法は、第１の発光ユニットと第２の発光ユニットを用意する工程と、電源スイッチがオンされたか否かを検知する工程と、電源スイッチがオンされた場合、電源スイッチがオンされた時間に基づいて第１の発光ユニットと第２の発光ダイオードの光混合比率を逐次に調整すると共に対応する色温度値を記憶する工程と、を含む。
【００１１】
好ましくは、本発明に係る発光ダイオード照明装置及び発光ダイオード照明装置の調光方法において、電源スイッチがオンされた後、所定時間内でオフされた場合、検知ユニットは色温度値を記憶し、電源スイッチが次回にオンされた時、色温度値に基づいて第１の発光ユニットと第２の発光ユニットの光混合比率を調整することによって発光ダイオード照明装置に対応する色温度を生成させる。
【００１２】
好ましくは、本発明に係る発光ダイオード照明装置及び発光ダイオード照明装置の調光方法において、検知ユニットは、第１の発光ユニットの第１のパルス幅変調信号に対応するデューティサイクル及び第２の発光ユニットの第２のパルス幅変調信号に対応するデュ―ティサイクルを調整することによって、第１の発光ユニットと第２の発光ユニットの光混合比率を調整する。
【００１３】
好ましくは、本発明に係る発光ダイオード照明装置及び発光ダイオード照明装置の調光方法において、検知ユニットは、色温度値を記憶した後、電源スイッチがオンされた否かを再び検知し、電源スイッチがオンされた時間に基づいて第１の発光ユニットと第２の発光ユニットを流れる電流を逐次に調整すると共に対応する輝度値を記憶する。また、検知ユニットは、リセット時間内で電源スイッチが四回に切り換えられたことを検知する時、記憶している色温度値と輝度値をイレースする。
【発明の効果】
【００１４】
本発明の主な特徴は、発光ダイオード照明装置内部における駆動回路を変更すると共に、従来技術のスイッチを利用して、ユーザーが発光ダイオード照明装置の色温度や輝度を調整したり設定したりするように制御することができる。これにより、ユーザーが調光回路を別途に設置する必要がないため、建物のデザインの自由性を向上できる。
【図面の簡単な説明】
【００１５】
【図１Ａ】従来技術のランプのスイッチの模式図を示すものである。
【図１Ｂ】従来技術のランプの回路図を示すものである。
【図２】本発明の第１の実施例に係る発光ダイオード照明装置の回路ブロック図を示すものである。
【図３Ａ】本発明の第１の実施例に係る発光ダイオード照明装置の電源スイッチのスイッチングタイミング図を示すものである。
【図３Ｂ】本発明の第１の実施例に係る発光ダイオード照明装置の駆動波形とタイミング図を示すものである。
【図３Ｃ】本発明の第１の実施例においてリセットを行う場合の発光ダイオード照明装置の電源スイッチのスイッチングタイミング図を示すものである。
【図４】本発明の第２の実施例に係る発光ダイオード照明装置の回路ブロック図を示すものである。
【図５Ａ】本発明の第２の実施例において発光ダイオード照明装置の初期の駆動波形とタイミング図を示すものである。
【図５Ｂ】本発明の第２の実施例において混合比率が５０％である場合の発光ダイオード照明装置の駆動波形とタイミング図を示すものである。
【図５Ｃ】本発明の第２の実施例においてｔ１が終了した時の発光ダイオード照明装置の駆動波形とタイミング図を示すものである。
【図５Ｄ】本発明の第２の実施例に係る発光ダイオード照明装置のリセット波形とタイミング図を示すものである。
【図６】本発明の第１の実施例に係る発光ダイオード照明装置の回路ブロック図を示すものである。
【図７Ａ】本発明の第３の実施例において設定を行う時の発光ダイオード照明装置の電源スイッチのスイッチングタイミング図を示すものである。
【図７Ｂ】本発明の第３の実施例に係る発光ダイオード照明装置の駆動波形とタイミング図を示すものである。
【図８】本発明の第４の実施例に係る発光ダイオード照明装置の回路ブロック図を示すものである。
【図９Ａ】本発明の第４の実施例において発光ダイオード照明装置の初期の駆動波形とタイミング図を示すものである。
【図９Ｂ】本発明の第４の実施例においてパルスの幅さが５０％である場合の発光ダイオード照明装置の駆動波形とタイミング図を示すものである。
【図９Ｃ】本発明の第４の実施例においてｔ１が終了した時の発光ダイオード照明装置の駆動波形とタイミング図を示すものである。
【図１０】本発明の第６の実施例に係る発光ダイオード照明装置の調光方法のフローチャートを示すものである。
【図１１】本発明の第６の実施例に係る発光ダイオード照明装置の調光方法のリセットのフローチャートを示すものである。
【発明を実施するための形態】
【００１６】
以下、本明細書と図面に開示された本発明の実施形態は、本発明の技術内容をより分かりやすく説明し、本発明の理解を助けるために実施例を挙げたことに過ぎず、本発明の範囲を限定するものではない。ここに開示された実施形態以外にも、本発明の技術的思想に基づく他の変形例も実施可能であることは、本発明の属する技術分野における当業者に自明なことである。
【００１７】
以下、図面を参照しながら本発明の実施例を説明する。図面において、同じ符号は同じ素子又は類似の素子を表す。
【実施例】
【００１８】
（第１の実施例）
図２は、本発明の第１の実施例に係る発光ダイオード照明装置の回路ブロック図を示すものである。図２に示すように、発光ダイオード照明装置は、第１の発光ユニット２０１、第２の発光ユニット２０２、駆動ユニット２０３及び検知ユニット２０４を含む。説明の便宜上、図２において、電源スイッチ２０５も描いてある。電源スイッチ２０５は、ユーザーの家の壁に設けられたランプのスイッチを表す。第１の発光ユニット２０１と第２の発光ユニット２０２の何れも発光ダイオードで実現される。ここで注意すべきは、第１の発光ユニット２０１と第２の発光ユニット２０２における発光ダイオード自体は異なる色温度を有する光を発する。第１の発光ユニット２０１は例えば６０００Ｋの色温度（寒色系）を有する光を発する。第２のｌ発光ユニット２０２は例えば２９００Ｋの色温度（暖色系）を有する光を発する。
【００１９】
検知ユニット２０４は、電源スイッチの状態を検知するためのものである。検知ユニット２０４は、電源スイッチ２０５がユーザーにオンされたことを検知した時、第１の発光ユニット２０１と第２の発光ユニット２０２を駆動するように駆動ユニット２０３を制御する。駆動ユニット２０３は逐次駆動方式を使用する。図３Ａは、本発明の第１の実施例に係る発光ダイオード照明装置の電源スイッチ２０５のスイッチングタイミング図を示すものである。図３Ｂは、本発明の第１の実施例に係る発光ダイオード照明装置の駆動波形とタイミング図を示すものである。図２、図３Ａ、図３Ｂを参照しながら説明する。例を挙げて説明すると、先ず、駆動ユニット２０３は、寒色系の色温度ＣＷを有する第１の発光ユニット２０１の輝度を最大な明るさまでに調整すると共に、暖色系の色温度ＷＷを有する第２の発光ユニット２０２を最大な暗さまでに調整する。続いて、電源スイッチ２０５がオンされた時間ｔ２が長くなるに従い、寒色系の色温度ＣＷを有する第１の発光ユニット２０１を徐々に暗くするように制御すると共に、暖色系の色温度ＷＷを有する第２の発光ユニット２０２を徐々に明るくするように制御する。
【００２０】
現時点の色温度が所望の色温度に到達したと確認した時、ユーザーはその現時点で電源スイッチ２０５を再び切り換える。検知ユニット２０４は、電源スイッチ２０５がユーザーにオフされたことを検知した時、電源スイッチ２０５がオフされる前の第１の発光ユニット２０１と第２の発光ユニット２０２の光混合比率（即ち、電源スイッチ２０５がオフされる前の色温度）を記憶する。ユーザーが次回に電源スイッチ２０５をオンする時、駆動ユニット２０３は、前回に記憶されている第１の発光ユニット２０１と第２の発光ユニット２０２の光混合比率に基づいて第１の発光ユニット２０１と第２の発光ユニット２０２を駆動する。
【００２１】
一方、ユーザーが所定の時間ｔ１を経ても電源スイッチ２０５に対して切換を行わないと、検知ユニット２０４は、色温度が最も低い寒色系の色温度ＣＷと色温度が最も高い暖色系の色温度ＷＷという設定に基づいて発光を調整する。ユーザーが次回に発光ダイオード照明装置をオンする時、発光ダイオード照明装置は色温度が最も低い寒色系の色温度ＣＷと色温度が最も高い暖色系の色温度ＷＷという設定に基づいて発光する。
【００２２】
図３Ｃは、本発明の第１の実施例においてリセットする時の発光ダイオード照明装置の電源スイッチ２０５のスイッチングタイミング図を示すものである。ユーザーは現時点の色温度が所望の色温度ではないと思うと、電源スイッチ２０５の操作により発光ダイオード照明装置をリセットすることによって前回の設定値をイレース（ｅｒａｓｅ）することができる。例えば、ユーザーは、所定の設定期間内に電源スイッチ２０５を連続的に四回に切り換えた（ＯＮ→ＯＦＦ→ＯＮ→ＯＦＦ）。検知ユニット２０４は、所定の設定期間内に電源スイッチ２０５が連続的に四回に切り換えられたこと（ＯＮ→ＯＦＦ→ＯＮ→ＯＦＦ）を検知した時、前回に記録されている第１の発光ユニット２０１と第２の発光ユニット２０２の光混合比率をイレースする。
【００２３】
（第２の実施例）
図４は、本発明の第２の実施例に係る発光ダイオード照明装置の回路ブロック図を示すものである。図４に示すように、第１の実施例と同じように、発光ダイオード照明装置は、第１の発光ユニット２０１、第２の発光ユニット２０２、駆動ユニット２０３、検知ユニット２０４及び電源スイッチ２０５を含む。第２の実施例において、検知ユニット２０５は、降圧回路（ｖｏｌｔａｇｅ
ｓｔｅｐ―ｄｏｗｎ ｃｉｒｃｕｉｔ）４０１、制御ユニット４０２及び記憶ユニット４０３を含む。制御ユニット４０２は、パルス回路４０２−１、クロックカウントユニット４０２−２及びパルス幅制御ユニット４０２−３を含む。降圧回路４０１は、電源スイッチ２０５を介して電源に電気的に接続される。制御ユニット４０２は、降圧回路４０１、駆動ユニット２０３に電気的に接続される。制御ユニット４０２は、降圧回路４０１の出力電圧に基づいて電源スイッチ２０５がオンされた時間をカウントすると共に、色温度値に基づいて色温度制御信号を駆動ユニット２０３に出力する。詳しく説明すると、パルス回路４０２−１は、降圧回路４０１に電気的に接続されており、降圧回路４０１の出力電圧の変化に応じて対応するパルス信号を生成する。クロックカウントユニット４０２−２は、パルス回路４０２−１に電気的に接続されており、パルス回路４０２−１が出力したパルス信号に基づいて電源スイッチ２０５がオンされた時間をカウントする。パルス幅制御ユニット４０２−３は、クロックカウントユニット４０２−２に電気的に接続されており、電源スイッチ２０５がオンされた時間に基づいて色温度制御信号を駆動ユニット２０３に出力する。
【００２４】
第１の実施例と同じように、第２の実施例において、ユーザーが色温度を調整しようとする時、先ず、電源スイッチ２０５をオンにする。続いて、制御ユニット４０２のクロックカウントユニット４０２−２は、パルス回路４０２−１が出力したパルス信号に基づいて電源スイッチ２０５がオンされた時間をカウントする。パルス幅制御ユニット４０２−３は、電源スイッチ２０５がオンされた時間に基づいて、色温度制御信号を駆動ユニット２０３に出力する。一般には、色温度制御信号は、主に第１の発光ユニット２０１と第２の発光ユニット２０２の光混合比率を制御するためのものである。その制御方法は、主に第１の発光ユニット２０１と第２の発光ユニット２０２の発光輝度を制御する。第１の発光ユニット２０１と第２の発光ユニット２０２は発光ダイオードを発光素子とする。発光ダイオードを制御する方法は、一般にはパルス幅変調（ｐｕｌｓｅ
ｗｉｄｔｈ ｍｏｄｕｌａｔｉｏｎ）信号のパルス幅に応じて決定する。また、色温度制御信号は、第１の発光ユニット２０１向けのパルス幅変調信号ＰＷＭ１と第２の発光ユニット２０２向けのパルス幅変調信号ＰＷＭ２に分けられる。
【００２５】
図５Ａは、本発明の第２の実施例において発光ダイオード照明装置の初期の駆動波形とタイミング図を示すものである。図５Ｂは、本発明の第２の実施例において混合比率が５０％である場合の発光ダイオード照明装置の駆動波形とタイミング図を示すものである。図５Ｃは、本発明の第２の実施例においてｔ１が終了した時の発光ダイオード照明装置の駆動波形とタイミング図を示すものである。図４、図５Ａ、図５Ｂ、図５Ｃを参照しながら説明する。図５Ａに示すように、最初に色温度を調整する時、第１の発光ユニット２０１のパルス幅変調信号ＰＷＭ１の幅（デューティサイクル）が最大値に調整されると共に、第２の発光ユニット２０２のパルス幅変調信号ＰＷＭ２の幅が最小値に調整される。
【００２６】
クロックカウントユニット４０２−２のカウント値が増えるに従い、第１の発光ユニット２０１のパルス幅変調信号ＰＷＭ１の幅を徐々に小さくするように制御すると共に、第２の発光ユニット２０２のパルス幅変調信号ＰＷＭ２の幅を大きくするように制御する。ユーザーは、現時点の色温度が所望の色温度であると判定した時、電源スイッチ２０５をオフ状態に切り換える。この場合、クロックカウントユニット４０２−２はカウントを停止し、記憶ユニット４０３は現時点の色温度調整情報を記憶する。色温度調整情報は例えば、第１の発光ユニット２０１のパルス幅変調信号ＰＷＭ１のパルス幅値と第２の発光ユニット２０２のパルス幅変調信号ＰＷＭ２のパルス幅値、若しくはクロックカウントユニット４０２−２のカウント値である。第１の発光ユニット２０１のクロックパルス幅変調信号ＰＷＭ１のパルス幅と第２の発光ユニット２０２のパルス幅変調信号ＰＷＭ２のパルス幅に転換できる情報、若しくは第１の発光ユニット２０１と第２の発光ユニット２０２の光混合情報に転換できる情報であれば、記憶ユニット４０３が記憶する色温度調整情報とすることができる。即ち、本発明において、色温度調整情報は特に限定されていない。
【００２７】
図５Ａ、図５Ｂ、図５Ｃから分かるように、図５Ａ、図５Ｂ、図５Ｃに示すパルス幅変調信号ＰＷＭ２において、直流オフセット（ＤＣ  ＯＦＦＳＥＴ）電圧がある。発光ダイオードにとっては、パルス幅変調信号のパルス幅により発光ダイオードの輝度を調整する方式のほかに、パルス幅変調信号の直流オフセット電圧により発光ダイオードの輝度を調整しても良い。そこで、パルス幅変調信号の直流オフセット電圧により調光又は色温度を調整しても良い。ここで、その詳細な発明を省略する。
【００２８】
図５Ｄは、本発明の第２の実施例に係る発光ダイオード照明装置のリセット波形とタイミング図を示すものである。図５Ｄに示すように、ユーザーは、現時点の色温度が所望の色温度ではないと思うと、電源スイッチ２０５を操作することにって発光ダイオード照明装置をリセットすることができる。例えば、ユーザーは所定の設定期間内に電源スイッチ２０５を四回に連続的に切り換える（ＯＮ→ＯＦＦ→ＯＮ→ＯＦＦ）。検知ユニット２０４は、所定の設定期間内に電源スイッチ２０５が四回に連続的に切り換えられたこと（図５Ｄに示す四つのパルス）を検知した後、記憶ユニット４０３に記憶されている第１の発光ユニット２０１と第２の発光ユニット２０２の光混合比率をイレースする。次回に電源スイッチ２０５をオンにするとき、ユーザーは所望の光混合比率を改めて設置することができる。
【００２９】
（第３の実施例）
上記の実施例において、色温度を調整する方法とその回路のみを説明したが、輝度を調整しても良い。第３の実施例において、輝度を調整する方法とその回路について説明する。
【００３０】
図６は、本発明の第３の実施例に係る発光ダイオード照明装置の回路ブロック図を示すものである。図６に示すように、発光ダイオード照明装置は、発光ユニット６０１、駆動ユニット６０２及び検知ユニット６０３を含む。また、説明の便宜上、上記の回路には電源スイッチ６０４も示す。電源スイッチ６０４は、ユーザーの家の壁に設けられたランプのスイッチです。発光ユニット６０１は発光ダイオードで実現される。
【００３１】
検知ユニット６０３は電源スイッチ６０４の状態を検知するためのものである。検知ユニット６０３は、電源スイッチ６０４がユーザーにオンされたことを検知した時、発光ユニット６０１を駆動するように駆動ユニット６０２を制御する。駆動ユニット６０２は逐次駆動方式を使用する。図７Ａは、本発明の第３の実施例において設定の発光ダイオード照明装置の電源スイッチ６０４のスイッチングタイミング図を示すものである。図７Ｂは、本発明の第３の実施例に係る発光ダイオード照明装置の駆動波形とタイミング図を示すものである。図６、図７Ａ、図７Ｂを参照しながら説明する。先ず、駆動ユニット６０２は、発光ユニット６０１を最大な暗さに調整する。続いて、時間を経つに従い、発光ユニット６０１を徐々に明るくするように調整する（即ち、発光ユニット６０１へ入力される電流が徐々に大きくなる）。
【００３２】
ユーザーは、現時点の発光輝度が所望の発光輝度であると判定した時、電源スイッチ６０４を再び切り換える。検知ユニット６０３は、電源スイッチ６０４がユーザーにオフされたことを検知した時、電源スイッチ６０３がオフされる前の発光ユニット６０１の輝度を記録する。ユーザーが次回に電源スイッチ６０４をオンにする時、駆動ユニット６０２は前回に記録されている発光ユニット６０１の輝度に基づいて発光ユニット６０１を駆動する。
【００３３】
同様に、ユーザーは、現時点の輝度が所望の輝度ではないと思うと、電源スイッチ６０４を操作することによって発光ダイオード照明装置をリセットする。例えば、ユーザーが所定の設定期間内に電源スイッチ６０４を四回に連続的に切り換える（ＯＮ→ＯＦＦ→ＯＮ→ＯＦＦ）。検知ユニット６０３は、所定の設定期間内に電源スイッチ６０４が四回に連続的に切り換えられたこと（ＯＮ→ＯＦＦ→ＯＮ→ＯＦＦ）を検知した後、前回に記憶されている発光ユニット６０１の輝度設定をイレースする。
【００３４】
（第４の実施例）
図８は、本発明の第４の実施例に係る発光ダイオード照明装置の回路ブロック図を示すものである。図８に示すように、第１の実施例と同じように、発光ダイオード照明装置は、発光ユニット６０１、駆動ユニット６０２、検知ユニット６０３及び電源スイッチ６０４を含む。本実施例において、検知ユニット６０３は、降圧回路８０１、制御ユニット８０２及び記憶ユニット８０３を含む。制御ユニット８０２は、パルス回路８０２−１、クロックカウントユニット８０２−２及びパルス幅制御ユニット８０２−３を含む。降圧回路８０１は、電源スイッチ６０４を介して電源に電気的に接続される。制御ユニット８０２は、降圧回路８０１と駆動ユニット６０２にそれぞれ電気的に接続される。制御ユニット８０２は、降圧回路８０１の出力電圧に基づいて電源スイッチ６０４がオンされた時間をカウントすると共に、輝度値に基づいて輝度制御信号を駆動ユニット６０２に出力する。具体的に言えば、パルス回路８０２−１は、降圧回路８０１に電気的に接続されており、降圧回路８０１の出力電圧の変化に応じて対応するパルス信号を生成するためのものである。クロックカウントユニット８０２−２は、パルス回路８０２−１に電気的に接続されており、パルス回路８０２−１が出力したパルス信号に基づいて電源スイッチ６０４がオンされた時間をカウントするためのものである。パルス幅制御ユニット８０２−３は、クロックカウントユニット８０２−２に電気的に接続されており、電源スイッチ６０４がオンされた時間に基づいて輝度制御信号を駆動ユニット６０２に出力する。
【００３５】
第３の実施例と類似するように、第４の実施例において、ユーザーは、輝度を調整しようとする時、先ず、電源スイッチ６０４をオンにする。続いて、制御ユニット８０２のクロックカウントユニット８０２−２は、パルス回路８０２−１が出力したパルス信号に基づいて電源スイッチ６０４がオンされた時間をカウントする。パルス幅制御ユニット８０２−３は、電源スイッチ６０４がオンされた時間に基づいて、輝度制御信号を駆動ユニット６０２に出力する。一般的に、輝度制御信号は、主に発光ユニット６０１の輝度を制御する。発光ユニット６０１は発光ダイオードを発光素子とする。発光ダイオードを制御する方法は、パルス幅変調（ＰＷＭ）信号のパルス幅により制御する。そこで、輝度制御信号は、パルス幅変調信号ＰＷＭとして機能する。
【００３６】
図９Ａは、本発明の第４の実施例において発光ダイオード照明装置の初期の駆動波形とタイミング図を示すものである。図９Ｂは、本発明の第４の実施例においてパルスの幅さが５０％である場合の発光ダイオード照明装置の駆動波形とタイミング図を示すものである。図９Ｃは、本発明の第４の実施例においてｔ１が終了した時の発光ダイオード照明装置の駆動波形とタイミング図を示すものである。図８、図９Ａ、図９Ｂ、図９Ｃを参照しながら説明する。最初に輝度を調整する時、発光ユニット６０１のパルス幅変調信号ＰＷＭの幅が最小値に設定される。クロックカウントユニット８０２−２のカウント値の上昇に従い、発光ユニット６０１のパルス幅調整信号ＰＷＭの幅が徐々に大きくなるように設定される。ユーザーは、現時点の輝度が所望の輝度であると判定した時、電源スイッチ６０４をオフ状態に切り換える。この場合、クロックカウントユニット８０２−２はカウントを停止し、記憶ユニット８０３は現時点の色温度調整情報を記憶する。色温度調整情報は例えば、発光ユニット６０１のパルス幅変調信号ＰＷＭのパルス幅値、若しくはクロックカウントユニット８０２−２のカウント値である。発光ユニット６０１のパルス幅変調信号ＰＷＭのパルス幅に転換できる情報、若しくは発光ユニット６０１の輝度情報に転換できる情報であれば、記憶ユニット８０３が記憶する色温度調整情報とすることができる。即ち、本発明において、色温度調整情報は特に限定されていない。
【００３７】
（第５の実施例）
上記の実施例から分かるように、本発明において、図２に示す回路によれば、色温度と輝度を同時に調整することができる。例えば、一回目と二回目に電源スイッチを切り換える場合（ＯＮ−１→ｔ１→ＯＦＦ−２）、第１の実施例の方式により色温度を調整する。色温度を調整した後、三回目と四回目に電源スイッチを切り換える場合（ＯＮ−３→ｔ１→ＯＦＦ−４）、第３の実施例の方式により、前回に設定した色温度比率に基づいて第１の発光ユニットと第２の発光ユニットの輝度を同時に調整する。
【００３８】
同様に、ユーザーは、現時点の設定が所望の設定ではないと思うと、電源スイッチを四回に連続的に切り換えること（ＯＮ→ＯＦＦ→ＯＮ→ＯＦＦ）によって、前回の設定値を改めて設定することができる。
【００３９】
（第６の実施例）
上述の複数の実施例は、一つの発光ダイオード照明装置の調光方法をまとめることができる。図１０は、本発明の第６の実施例に係る発光ダイオード照明装置の調光方法のフローチャートを示すものである。図１０を参照しながら説明する。発光ダイオード照明装置は、電源スイッチを介して電源に電気的に接続される。発光ダイオード照明装置の調光方法は下記のステップを含む。
ステップＳ１００１：スタート。
ステップＳ１００２：第１の発光ユニットと第２の発光ユニットを用意する。
ステップＳ１００３：電源スイッチがオンされたか否かを判定する。電源スイッチがオンされていない場合、ステップＳ１００３を繰り返す。一方、電源スイッチがオンされた場合、ステップＳ１００４へ移行する。
ステップＳ１００４：電源スイッチがオンされた時間に基づいて、第１の発光ユニットと第２の発光ユニットの光混合比率を逐次に調整する。
ステップＳ１００５：電源スイッチがオフされたか否かを判定する。電源スイッチがオフされていない場合、ステップＳ１００４へ戻す。一方、電源スイッチが所定時間内にオフされた場合、ステップＳ１００６へ移行する。
ステップＳ１００６：色温度値を記憶する。
これにより、次回に電源スイッチがオンされる場合、発光ダイオード照明装置は、設定の色温度値に基づいて第１の発光ユニットと第２の発光ユニットの光混合比率を調整することによって、対応する色温度を生成することができる。
ステップＳ１００７：色温度値を記憶した後、電源スイッチが再びオンされたか否かを判定する。電源スイッチがオンされていない場合、ステップＳ１００７へ戻す。一方、電源スイッチがオンされた場合、ステップＳ１００８へ移行する。
ステップＳ１００８：電源スイッチがオンされた時間に基づいて、第１の発光ユニットと第２の発光ユニットの電流を逐次に調整する。
ステップＳ１００９：電源スイッチが所定時間内にオフされたか否かを判定する。電源スイッチがオフされていない場合、ステップＳ１００８へ戻す。一方、電源スイッチがオフされた場合、ステップＳ１０１０へ移行する。
ステップＳ１０１０：輝度値を記憶する。
これにより、次回に電源スイッチがオンされる場合、発光ダイオード照明装置は、記憶されている色温度値と輝度値に基づいて、第１の発光ユニットと第２の発光ユニットを駆動することによって、対応する色温度と輝度を生成する。
【００４０】
図１１は、本発明の第６の実施例に係る発光ダイオード照明装置の調光方法のリセットフローチャートを示すものである。図１１に示すように、リセットフローチャートは下記のステップを含む。
ステップＳ１１０１：スタート。
ステップＳ１１０２：リセット時間内に電源スイッチが四回に切り換えられたか否かを判定する。いいえと判定した場合、ステップＳ１１０３へ移行する。一方、はいと判定した場合、ステップＳ１１０４へ移行する。
ステップＳ１１０３：リセットを行わない。
ステップＳ１１０４：リセットを行う。記憶ユニットに記憶されている色温度値と輝度値をイレースする。
ステップＳ１１０５：エンド。
【００４１】
上述したように、本発明は、発光ダイオード照明装置内部の駆動回路を調整すると共に、従来技術の電源スイッチを使用して複数の制御方法を提供することによって、ユーザーが色温度と輝度を調整したり設定したりすることができる。また、ユーザーが調光回路を別途に設置する必要がないため、建物のデザインの自由性を向上できる。
【００４２】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００４３】
２０１  第１の発光ユニット
２０２  第２の発光ユニット
６０１  発光ユニット
２０３、６０２  駆動ユニット
２０４、６０３  検知ユニット
２０５、６０４  電源スイッチ
ＣＷ  寒色系の色温度の波形
ＷＷ  暖色系の色温度の波形
４０１、８０１  降圧回路
４０２、８０２  制御ユニット
４０３、８０３  記憶ユニット
４０２−１、８０２−１  パルス回路
４０２−２、８０２−２  クロックカウントユニット
４０２−３、８０２−３  パルス幅制御ユニット
ｔ１  所定の時間
ｔ２  電源スイッチがオンされた時間
ＰＷＭ、ＰＷＭ１、ＰＭＷ２  パルス幅変調信号
【図１Ａ】
2013161782.tif 000003
【図１Ｂ】
2013161782.tif 000004
【図２】
2013161782.tif 000005
【図３Ａ】
2013161782.tif 000006
【図３Ｂ】
2013161782.tif 000007
【図３Ｃ】
2013161782.tif 000008
【図４】
2013161782.tif 000009
【図５Ａ】
2013161782.tif 000010
【図５Ｂ】
2013161782.tif 000011
【図５Ｃ】
2013161782.tif 000012
【図５Ｄ】
2013161782.tif 000013
【図６】
2013161782.tif 000014
【図７Ａ】
2013161782.tif 000015
【図７Ｂ】
2013161782.tif 000016
【図８】
2013161782.tif 000017
【図９Ａ】
2013161782.tif 000018
【図９Ｂ】
2013161782.tif 000019
【図９Ｃ】
2013161782.tif 000020
【図１０】
2013161782.tif 000021
【図１１】
2013161782.tif 000022